(57)【特許請求の範囲】
【請求項１】
キ−カ−ド（２）用の一つの差し込み通路を備えるキ−カ−ド（２）によって作動できる錠において、差し込み通路（１５）の開口（１４）は通常は鎖錠要素（１０）により覆われて保持されており、その鎖錠要素（１０）はばね力によってその覆い位置に保持され、その覆い位置において錠は少なくとも一個の磁気槓杆要素（１８、１９、２５）を保持し、キ−カ−ド（２）に付属した磁石（２４）によって解錠され、磁気槓杆要素（１８、１９、２５）が長孔（２０、２１）に位置するピンであり、その長孔（２０、２１）がケ−シング（４）の空隙（２０’、２１’）に接続し、その空隙にピン（１８、１９）が施錠位置において中へ突き出すことを特徴とする錠。
【請求項２】
鎖錠要素（１０）は、鎖錠円板として構成され、差し込み通路（１５）の差し込み方向を横切って延長できることを特徴とする請求項１に記載の錠。
【請求項３】
磁気ピン（１８、１９）が設けられ、そのピンを保持した長孔（２０、２１）が斜めに互いに延びていることを特徴とする請求項１或いは請求項２に記載の錠。
【請求項４】
磁気ピン（１８、１９）を施錠位置から移動される位置においてキ−カ−ド（２）の前縁領域（２’）が鎖錠円板（１０）の頭部前に位置する収容肩部（１３）にあることを特徴とする請求項１乃至請求項３のいずれか一項に記載の錠。
【請求項５】
磁気ピン（１８、１９）のためにスリット／開口（１４）に付属した導入斜面（２２、２３）を設けることを特徴とする請求項１乃至請求項４のいずれか一項に記載の錠。
【請求項６】
磁気ピン（２５）に付属した斜角面（２６）の先面を設けることを特徴とする請求項１乃至請求項５のいずれか一項に記載の錠。
【発明の詳細な説明】
【０００１】
【発明の属する技術分野】
この発明は、キ−カ−ド用の一つの差し込み通路を備えるキ−カ−ドによって作動できる錠に関する。
【０００２】
【従来の技術】
この種のキ−は知られている（例えば、特公昭５８−４１３９１号公報、特公昭６１−３５３４９号公報、特公平３−４７７号公報、特開平５−２７２２６５公報、米国特許第４１３３１９４号明細書参照）。けれども、キ−に磁石が付随されていて、差し込み通路に導入された物体或いは道具によって、権限のない操作が実施できると言う問題点があった。
【０００３】
【発明が解決しようとする課題】
この発明の課題は、差し込み通路に導入された物体によっては操作がしっかり阻止される、即ち専用のキ−カ−ド以外の物体や道具によっては操作が出来ない前記種類の錠を構成することにある。
【０００４】
【課題を解決するための手段】
この課題は、まず第一に且つ実質的に請求項１の特徴部分を備える錠で解決され、この際に差し込み通路の開口が通常は鎖錠要素により覆われて保持されており、その鎖錠要素がばね力によってその覆い位置に保持され、その覆い位置において錠が少なくとも一個の磁気槓杆要素を保持し、キ−カ−ドに付属した磁石によって解錠でき、磁気槓杆要素（１８、１９、２５）が長孔（２０、２１）に位置するピンであり、その長孔（２０、２１）がケ−シング（４）の空隙（２０’、２１’）に接続し、その空隙にピン（１８、１９）が施錠位置において中へ突き出すことを目指している。
【０００５】
他の請求項の対象は、次に請求項１の対象に関して説明されるが、しかしその従属構成に意味がある。
【０００６】
この種の構成によって前記錠は安全性を高められ、それと同時に権限のない操作をしっかりと排除する。追加的に設けられた鎖錠要素は二重機能を満たし：一方はキ−通路の開口を覆うのに役立ち、他方は権限のない解錠に対して安全性が高まる。キ−カ−ドを差し込み通路の開口に差し込むために、前もって磁気槓杆要素が解錠位置にもたらされ、引き続き鎖錠要素を移動でき、その移動位置において初めてキ−カ−ドが差し込み通路の開口に挿入できる。それ故に、キ−カ−ド錠の権限のない解錠は妨げられる。差し込み通路への物体或いは道具の差し込みによる権限のない操作は十分に阻止される。所定位置に対応する磁石を有する規定とおりのキ−カ−ドが磁気槓杆要素を解錠位置にもたらし、その解錠位置において鎖錠要素が移動できる。キ−カ−ドが引き出されるならば、鎖錠要素はその施錠位置に戻され、この施錠位置において差し込み通路の開口が覆われている。好ましい再現はこの発明によると、鎖錠要素が鎖錠円板として構成され、差し込み通路の差し込み方向を横切って置換えできる。特にコイルバネとして構成され得る鎖錠円板に付属されたばねが鎖錠円板をその覆い状態にもたらす。鎖錠円板の移動は、差し込み方向を横切って向いた運動によって鎖錠円板を移動させるキ−カ−ドによって行われるので、引き続いてキ−カ−ドが差し込み通路に導入され得る。更に、この発明によると、磁気槓杆要素が長孔に位置するピンであり、その長孔にケ−シングの空隙が接続し、その空隙にピンが施錠位置においてその中に突き出す。磁気槓杆要素は鎖錠円板の施錠位置においていつも、槓杆要素がケ−シングの空隙の中に突き出し、それにより鎖錠円板の移動を阻止するように、長孔にて移動する企てを有する。キ−カ−ドの一個或いは複数個の磁石によって初めて、ピンが長孔にて移動されるので、ピンが空隙を去って、それ故に、鎖錠円板の移動を許容する。二つの磁石ピンが設けられており、そのピンに付属された長孔が斜めに互いに延びていると言う事実が構造的に簡単な構成に寄与される。重力に基づき、強制的にいつも磁石ピンの一方が付属された空隙にて移動し、それで、鎖錠円板の移動を封鎖する。左或いは右である錠の停止に応じて、当該磁石ピンがその施錠位置を採ることが保証される。この際に、当該磁石ピンはいつも空隙の方向に下降する長孔に位置する。更に、磁気ピンを施錠位置から移動される位置においてキ−カ−ドの前縁領域が鎖錠円板の頭部前に位置する収容肩部にあると言う事態を強調すべきである。それで、鎖錠円板の許容移動がキ−カ−ドによっていつも保証される。前縁領域が指示に従って収容肩部に載置すると直ぐに、磁石ピンはその施錠位置から移動される。引き続いて鎖錠円板の移動が差し込み通路の差し込み方向を横切って行われる。長孔がケ−シングの空隙の向こう側に当該ケ−シング壁に並んでいるので、スリット開口の通過の際の磁気ピンの係止固定は、磁気ピンのためにスリット開口に対応する導入斜面を構成することにより阻止される。ピンがスリット開口に引っ掛かっていて、それにより施錠位置における鎖錠円板の移動を妨害することが生じることはない。けれども、前記効果をもたらす磁気ピンの前面に付属した斜角面を設けることが可能である。
【０００７】
次に、この発明の実施例は、図面に基づいて説明される。図１はこの発明により構成され、キ−カ−ドによって作動する錠の斜視図を示し、図２は覆い状態を採る鎖錠円板と当接されたキ−カ−ドを備える錠を部分表示で示し、図３は鎖錠円板に領域における縦断面を示し、図４は解錠位置に移動された磁石を備える錠を部分的平面で、部分的に分解されてを示し、図５は磁気ピンの変更された構成を拡大して図示し、図６は図２と比較できる図示であるが、しかしキ−カ−ドから移動された鎖錠円板を示し、図７は図３のような断面であるが、しかし部分的に差し込み通路に移動されたキ−カ−ドを示し、図８は図４のような表示であるが、しかし施錠位置になった磁気ピンを示す。
【０００８】
【発明の実施の形態】
符号１により全体としてキ−カ−ド２によって作動できる錠が図示されている。これはそれ自体公知の構成を有するので、ここでは詳細には図示されていない。磁化点を有するキ−カ−ド２によって錠はクラッチ結合における扉外面と反対を向いた回転ノブ３が具体的に説明されていない扉に付属された差し込み錠になるような状態にもたらされる。それは錠１が扉外面に固定されている。
【０００９】
個々には錠１は、ケ−シングカバ−５、細長い側壁６並びに前側壁７、８を有する箱状ケ−シング４を有する。側壁が階段状に構成され、区分ａ，ｂ，ｃから構成されている。区分ｂにより案内縦坑９は形成し、平面図で直角に構成され、平面図に適合されて鎖錠要素１０を形成する鎖錠円板を受ける。内部縦坑壁１１は前側壁８の区分ａと並んでいる、特に図３と図７を参照。
【００１０】
鎖錠要素１０の細辺を隣接した二つの圧縮ばね１２は鎖錠円板１０を外方方向即ちケ−シングカバ−５の方向に負荷する。外方方向におけるその移動は具体的に説明されていないストッパにより制限されている。この停止位置において鎖錠円板１０の頭部前に位置する収容肩部１３は案内縦坑９を形成する区分ｂと並んでいる。この状態では鎖錠円板１０はキ−カ−ド２用差し込み通路１５の開口１４を閉鎖する。差し込み通路１５は二つの互いに平行に位置する板１６、１７により形成され、それら板は公知の方法でばね力に対してキ−カ−ドの差し込みの際に移動できる。
【００１１】
図示された実施例では、二つの磁気槓杆１８と１９が設けられ、鎖錠要素或いは鎖錠円板１０を差し込み通路１５の開口１４を覆う位置に保持する。この磁気槓杆１８と１９に関して鎖錠円板１０の長孔２０、２１に位置するピンが重要である。これらピンはその長手方向軸線がキ−通路平面を横切って延びているように整合されている。長孔２０、２１にはケ−シングの空隙２０’、２１’が接続する。この場合に空隙２０’、２１’が前側壁８の区分ａに存在する。この際に空隙２０’、２１’は円セグメントの形状を有する。この空隙２０’、２１’にはピン１８、１９は施錠位置において中へ突き出し、開口１４を覆う位置から鎖錠円板１０の移動を阻止する、図８を参照。
【００１２】
図４と図８から、長孔２０、２１が互いに斜めに延びていて、しかも区分ａの方向に見えることが明らかである。
【００１３】
図３と図７は、スリット開口１４に導入斜面２２、２３が付属されていることを具体的に説明する。これは、鎖錠円板１０の移動の際に磁石ピン１８、１９はスリット開口１４に固定させることを排除する。
【００１４】
キ−カ−ド２はその前辺領域２’において二つの磁石２４を有する。これは、収容肩部１３に載置したキ−カ−ド２においてその前辺が区分ａによって停止制限を得るように位置されて、磁石ピン１８、１９はこれらがケ−シング４の空隙２０’、２１’を出るように移動される。それにより鎖錠円板１０が解錠される。キ−カ−ド２によって鎖錠円板１０を圧縮ばねの力に逆らって移動され、その運動中にキ−カ−ド２の前辺領域２’が開口１４と一列状態に到達する。それによりキ−カ−ド２は差し込み通路１５に挿入されて、この場合に図示されない磁石ピンはキ−カ−ド２の磁化点によって移動され、引き続いて具体的に説明されていない円板が移動でき、それによりクラッチが回転ノブ３に対して連動形成される。
【００１５】
指定された箇所に磁石２４を有しないキ−カ−ド２が使用されるならば、鎖錠円板１０は移動されない。開口１４は覆われたままであり、施錠過程は着手できない。作用をもたらさないキ−カ−ド２の場合には磁気槓杆１８、１９をその空隙２０’、２１’に対する作用状態に維持する具体的に説明された手段が設けられることができない。けれども、互いに斜めに延びる長孔２０、２１によってそのような処置手段を必要とされない。重力に基づいてそれぞれに錠１のストッパに応じて頂上に位置する磁石ピン１８、１９が空隙に作用されるので、鎖錠円板１０の規定どおりの係止が保証される。図示された表示では、磁石ピン１８が施錠機能を満たす。錠１は１８０度だけ回転されるならば、磁石ピン１９が挿入される。
【００１６】
図５は変更された磁石ピン２５を示す。これはその前面に円錐状に延びる斜角面２６を有する。このピンは磁石ピン１８、１９の代わりに設置されるならば、開口１４における導入斜面が省略され、しかも、特に導入斜面２３が省略される。
【００１７】
【発明の効果】
この発明の構成によって、この錠の安全性を高められ、それと同時に権限のない操作をしっかりと排除できる。追加的に設けられた鎖錠要素は二重機能を満たし：一方ではキ−通路の開口を覆うのに役立ち、他方では権限のない解錠に対して安全性を高める。キ−カ−ドを差し込み通路の開口に差し込むために、前もって磁気槓杆要素が解錠位置にもたらされ、引き続き鎖錠要素を移動でき、その移動位置において初めてキ−カ−ドが差し込み通路の開口に挿入できる。それ故に、キ−カ−ド錠の権限のない解錠は妨げられる。差し込み通路への物体或いは道具の差し込みによる権限のない操作は十分に阻止される。
【００１８】
この発明の錠は、構造的に簡単な構成であり、重力に基づき、強制的にいつも磁石ピンの一方が付属された空隙にて移動し、それで、鎖錠円板の移動を封鎖する。磁気ピンのためにスリット開口に適切な導入斜面を構成することにより、スリット開口の通過の際の磁気ピンの係止固定は阻止される。ピンがスリット開口に引っ掛かっていて、それにより施錠位置における鎖錠円板の移動を妨害することが生じることはない。
【図面の簡単な説明】
【図１】この発明により構成され、キ−カ−ドによって作動する錠の斜視図を示す。
【図２】覆い状態を採る鎖錠円板と当接されたキ−カ−ドを備える錠を部分表示で示す。
【図３】鎖錠円板に領域における縦断面を示す。
【図４】解錠位置に移動された磁石を備える錠を部分的平面で、部分的に分解されてを示す。
【図５】磁気ピンの変更された構成を拡大して図示す。
【図６】図２と比較できる図示であるが、しかしキ−カ−ドから移動された鎖錠円板を示す。
【図７】図３のような断面であるが、しかし部分的に差し込み通路に移動されたキ−カ−ドを示す。
【図８】図４のような表示であるが、しかし施錠位置になった磁気ピンを示す。
【符号の説明】
１．．．．．錠
２．．．．．キ−カ−ド
３．．．．．回転ノブ
４．．．．．ケ−シング
５．．．．．カバ−
６．．．．．細長側壁
７．．．．．前側壁
８．．．．．前側壁
９．．．．．縦坑
１０．．．．鎖錠円板
１１．．．．内部縦坑壁
１２．．．．圧縮ばね
１３．．．．収容肩部
１４．．．．開口
１５．．．．差し込み通路
１６．．．．板
１７．．．．板
１８．．．．磁石ピン
１９．．．．磁石ピン
２０．．．．長孔
２０’．．．空隙
２１．．．．長孔
２１’．．．空隙
２２．．．．導入斜面
２３．．．．導入斜面
２４．．．．磁石
２５．．．．磁石ピン
２６．．．．斜角面
ａ，ｂ，ｃ．．．区分
【図１】
0003768176.tif 000002
【図２】
0003768176.tif 000003
【図３】
0003768176.tif 000004
【図４】
0003768176.tif 000005
【図５】
0003768176.tif 000006
【図６】
0003768176.tif 000007
【図７】
0003768176.tif 000008
【図８】
0003768176.tif 000009